(57)【要約】【課題】所定の衝撃力より小さな力でカメラ本体収納部内の鏡枠が動いてしまうことを防止でき、さらに、衝撃によりカメラ本体収納部内を鏡枠が移動する際のスムーズな緩衝移動や緩衝移動後の復帰を正確に行なうことのできるデジタルカメラを提供する。【解決手段】扁平な形状をなし、ブレ補正機構を有する鏡枠４と、収納部２ｓに収納された鏡枠４の光学系の光軸方向へのスライド移動を支持するための支持部が設けられたカメラ本体である前カバー２と、収納部２ｓの両側面と垂直な内側面と、衝撃により収納部２ｓの内部で鏡枠４が相対的に光軸方向にスライド変位したときに、前カバー２の収納部２ｓの内側と鏡枠４の外面部分との間に生じる光軸方向の剪断力により衝撃を吸収する緩衝ユニット２１と、収納部２ｓの内側面と緩衝ユニット２１との間に介在する弾性変形可能な弾性スペーサ２５とを具備する。【選択図】図４
2010177965.tif 000002
【特許請求の範囲】
【請求項１】
全体として扁平な形状をなし、撮像素子と、被写体からの反射光を当該撮像素子へ結像させるための光学系と、当該撮像素子へ結像する被写体像のぶれを補正するブレ補正機構と、を有する鏡枠と、
上記鏡枠を上記光軸方向にのみスライドさせる鏡枠収納部を有し、上記収納された鏡枠の光学系の光軸を挟んだ両側の側面の各々に設けられ、当該鏡枠収納部に収納された上記鏡枠の光軸方向へのスライド移動を支持するための支持部が設けられたカメラ本体と、
上記鏡枠収納部の上記両側面と垂直な内側面と、当該内側面に対向する上記扁平な鏡枠の外面部分との間に設けられていて、衝撃により上記カメラ本体収納部の内部で上記鏡枠が相対的に光軸方向にスライド変位したときに、上記カメラ本体の収納部の内側と上記鏡枠の外面部分との間に生じる光軸方向の剪断力により衝撃を吸収する衝撃吸収手段と、
上記鏡枠収納部の内側面と上記衝撃吸収手段との間に、圧縮された状態で介在する弾性変形可能な弾性スペーサと、
を具備したことを特徴とするデジタルカメラ。
【請求項２】
上記弾性スペーサは、上記光軸を挟んで等距離の位置であって、かつ、光軸方向に延びて上記カメラ本体の鏡枠収納部側の面に固着されていることを特徴とする請求項１に記載のデジタルカメラ。
【請求項３】
上記衝撃吸収手段は、上記鏡枠の少なくとも一つの外面部分に固定される第一の薄板と、上記カメラ本体の収納部内面に固定される第二の薄板と、上記第一及び第二の薄板の間に挟持された衝撃吸収部材とから構成されていることを特徴とする請求項１に記載のデジタルカメラ。
【請求項４】
上記収納部に設けられた支持部は、上記鏡枠の四隅の近傍で面接触することにより第二の光軸方向に当該鏡枠を摺動自在に支持することを特徴とする請求項１に記載のデジタルカメラ。
【請求項５】
上記鏡枠における上記第二の光軸方向の両端部と上記カメラ本体との間に、当該カメラ本体が衝撃を受けた際に当該鏡枠が移動する空間があるように、当該鏡枠と当該カメラ本体とを配置したことを特徴とする請求項１に記載のデジタルカメラ。
【請求項６】
上記第一の薄板は、上記鏡枠の前面に対してネジ止め固定され、上記第二の薄板は周縁部に切欠部を有して形成されており、上記切欠部は、上記カメラ本体収納部の係止突部に係合することで上記カメラ本体収納部に対して上記第二の薄板が固定され、上記衝撃吸収部材は、上記第一の薄板と上記第二の薄板との間に接着固定されることを特徴とする請求項３に記載のデジタルカメラ。
【請求項７】
上記弾性スペーサは、上記第二の薄板の上記カメラ本体の収納部側の面に固着されていることを特徴とする請求項３に記載のデジタルカメラ。
【発明の詳細な説明】
【技術分野】
【０００１】
この発明は、デジタルカメラ、詳しくは、外部からカメラ本体に衝撃が加わった際に、当該カメラ本体の内部で鏡枠を移動させることにより当該鏡枠への衝撃を吸収するブレ補正機能付きのデジタルカメラに関するものである。
【背景技術】
【０００２】
従来、複数の光学レンズ等からなるレンズ鏡枠ユニットと、光学レンズによって結像される被写体の光学像を光電変換する撮像素子を含む撮像ユニット等を備えたデジタルカメラが種々実用化されている。
【０００３】
これらのデジタルカメラは、使用者が常に携行して持ち運び、気軽に場所を選ばずに使用することができるように、常に機器全体の小型化が望まれている。
【０００４】
一方、使用者がデジタルカメラを常に携行するようになると、例えばデジタルカメラの携行中に誤って落下させたり、意図せずに壁等に衝突させてしまう等の可能性が多くなる。しかしながら、このようなデジタルカメラは極めて精密に構成される機器であるので、外部から衝撃力を受けると、その外力の影響は内部構成物にまで及ぶことがあり、それによって内部構成物を破損させたり故障させてしまうことにもなりかねない。
【０００５】
そこで、従来のデジタルカメラ等の小型機器においては、落下等の衝撃に対応するために、機器本体の内面に内部構成物が移動可能となるように構成すると共に、この移動可能な内部構成物の外面と機器本体の内面との間に緩衝部材を設けるようにフローティング構造で構成したものが、例えば、特許文献１，２，３，４等に提案されている。
【０００６】
このようなフローティング構造の小型機器では、外力による衝撃力が機器本体外部に加わったとき、緩衝部材が圧縮されることで、その衝撃力が吸収されるようになっている。
【０００７】
特許文献１に開示されている小型機器は、カメラユニットを保持しかつ輪郭を画定する本体ケースを備えた携帯電話機等であって、本体ケースを通してカメラユニットへ加わる衝撃力を緩和させるために、ユニットケースと本体ケースとの間であって、レンズの移動方向（光軸方向、Ｚ方向）及びそれと垂直な方向（Ｙ方向）のそれぞれに沿う面に緩衝部材を設けて構成している。
【０００８】
特許文献２に開示されている小型機器は、車室内のダッシュパネルに設置される車載用プレーヤ装置であって、ダッシュパネルに組み込まれる外筐体と、この外筐体に収納される装置本体とのあいだに緩衝部材を介在させて構成している。
【０００９】
特許文献３及び特許文献４に開示されている小型機器は、機器本体内に収納されるディスク状記録媒体カートリッジを着脱自在に収納するスロット部の外面と、他の内部構成物との間に緩衝部材を介在させて構成している。
【発明の概要】
【発明が解決しようとする課題】
【００１０】
ところが、上記特許文献１に開示されている手段では、レンズの移動方向（Ｚ軸方向）及びそれと垂直な方向（Ｙ軸方向）のそれぞれに沿う面に緩衝部材を配設したので、レンズ移動方向（Ｚ軸方向）に衝撃力が加わった場合、緩衝部材にかかる力は押圧力と剪断力となる。この場合には、緩衝部材が圧縮された際の反発力と剪断力とが互いにその効力を打ち消し合ってしまうことになる。
【００１１】
また、デジタルカメラ等においては、光学レンズ等を有する鏡枠本体がカメラ本体内部に収納して構成されているのであるが、この鏡枠本体は、レンズ移動方向（Ｚ軸方向）以外の方向、即ち、Ｙ軸方向，Ｘ軸方向については、カメラ本体等によって、外部からの衝撃力に対する強度が確保されている。その一方で、鏡枠本体内の光学レンズは、例えば合焦動作や変倍動作等のために所定の方向（光軸方向）への移動が自在となるように構成されている。このことは、特に光軸に沿う方向の外力が鏡枠本体に加わった場合には、強度的に不利な構成であると言える。また、上述のように緩衝部材の圧縮力により衝撃を吸収する手段では、緩衝部材の圧縮に伴って生じる反発力が鏡枠本体に影響を及ぼすことも考えられる。
【００１２】
さらに、機器内面に緩衝部材を設ける場合、その厚み分だけ機器内部の空間が必要となる。特に光学レンズが移動する方向である光軸方向の寸法は確実に確保しなければならないという事情から、光軸方向と直交する方向に沿う面に緩衝部材を設けた場合、長手方向の大型化につながってしまうという問題点もある。
【００１３】
一方、緩衝部材を圧縮させることで衝撃を吸収させる手段では、緩衝部材の厚みが衝撃吸収性に寄与しており、緩衝部材が薄くなるほどその効果は少なくなるという傾向がある。
【００１４】
その反面、携行して使用するデジタルカメラ等にあっては、機器本体の小型化や薄型化への要求が常にあるため、機器本体と内部構成物との間に充分な衝撃吸収性能を有する緩衝部材を配設する空間を確保することは困難な状況となっているという問題点もある。
【００１５】
また、上述したブレ補正機能を有するデジタルカメラに緩衝構造でフローティング構造を適用した場合、カメラ本体収納部と鏡枠との間の空間（ガタ）の大きさによって、当該カメラ本体と鏡枠との位置関係が微妙にずれたり、位置関係が一定とならず、ブレ量補正による撮像の際に影響を及ぼすことがあった。
【００１６】
さらに、外部からの衝撃によりカメラ本体収納部内を鏡枠が移動する際、上記空間（ガタ）の大きさによってはスムーズな緩衝移動や緩衝移動後の復帰が正確にできないことがあった。
【００１７】
本発明は、上述した点に鑑みてなされたものであって、その目的とするところは、ブレ補正機能を有する鏡枠がカメラ本体収納部内で緩衝移動するデジタルカメラにおいて、非撮像時におけるカメラ本体収納部と鏡枠との間のガタ（空間）をなくし、また、外部からの衝撃によりカメラ本体収納部内を鏡枠が移動する際のスムーズな緩衝移動や緩衝移動後の復帰を正確に行なうことのできるデジタルカメラを提供することである。
【課題を解決するための手段】
【００１８】
上記課題を解決するために本発明のデジタルカメラは、全体として扁平な形状をなし、撮像素子と、被写体からの反射光を当該撮像素子へ結像させるための光学系と、当該撮像素子へ結像する被写体像のぶれを補正するブレ補正機構とを有する鏡枠と、上記鏡枠を上記光軸方向にのみスライドさせる鏡枠収納部を有し、上記収納された鏡枠の光学系の光軸を挟んだ両側の側面の各々に設けられ、当該鏡枠収納部に収納された上記鏡枠の光軸方向へのスライド移動を支持するための支持部が設けられたカメラ本体と、上記鏡枠収納部の上記両側面と垂直な内側面と、当該内側面に対向する上記扁平な鏡枠の外面部分との間に設けられていて、衝撃により上記カメラ本体収納部の内部で上記鏡枠が相対的に光軸方向にスライド変位したときに、上記カメラ本体の収納部の内側と上記鏡枠の外面部分との間に生じる光軸方向の剪断力により衝撃を吸収する衝撃吸収手段と、上記鏡枠収納部の内側面と上記衝撃吸収手段との間に、圧縮された状態で介在する弾性変形可能な弾性スペーサとを具備している。
【発明の効果】
【００１９】
本発明によれば、ブレ補正機能を有する鏡枠がカメラ本体収納部内で緩衝移動するデジタルカメラにおいて、非撮像時におけるカメラ本体収納部と鏡枠との間のガタ（空間）をなくすことができる。また、外部からの衝撃の際、当該衝撃より小さな力でカメラ本体収納部内の鏡枠が動いてしまうことを防止できる。さらに、外部からの衝撃によりカメラ本体収納部内を鏡枠が移動する際のスムーズな緩衝移動や緩衝移動後の復帰を正確に行なうことのできるデジタルカメラを提供することができる。
【図面の簡単な説明】
【００２０】
【図１】本発明の一実施形態である撮像装置としてのデジタルカメラの外観を前面側からみた斜視図である。
【図２】図１のデジタルカメラの外観を背面側からみた斜視図である。
【図３】図１のデジタルカメラの後カバーを外し、内部配置を示した背面図である。
【図４】図３のデジタルカメラにて、前カバーと鏡枠ユニットと緩衝ユニットとを分解した状態を示した斜視図である。
【図５】図４の鏡枠ユニットを前面側下方からみた斜視図である。
【図６】図５のVI−VI断面図であって、図５の鏡枠ユニットの光軸に沿った断面を示す。
【図７】図３のデジタルカメラにおいて、前カバーに鏡枠ユニットを挿入した状態を示した模式的拡大図である。
【図８】図４の鏡枠ユニットを緩衝ユニットを挟んで前カバーに組み込んだ状態を示す断面図である。
【発明を実施するための形態】
【００２１】
以下、本発明の実施の形態を図に基づいて説明する。
【００２２】
図１，２は、本発明の一実施形態である撮像装置としてのデジタルカメラの外観を示す斜視図であって、図１が前面側からみた斜視図であり、図２が背面側からみた斜視図である。図３は、上記デジタルカメラの後カバーを外した状態の背面図である。図４は、上記デジタルカメラの前カバー、鏡枠ユニットおよび緩衝ユニットの分解斜視図である。図５は、上記鏡枠ユニットを前面側下方からみた斜視図である。図６は、図５のVI−VI断面図であって、上記鏡枠ユニットの光軸に沿った断面を示す。
【００２３】
本発明の一実施形態であるデジタルカメラ１は、被写体像を撮像するための折り曲げ光学系を備えた鏡枠ユニット２０を内蔵し、撮像手段である撮像素子を手ブレに応じて移動させる手ブレ補正機能を有するコンパクトタイプのデジタルカメラであり、さらに、落下等の衝撃から鏡枠を保護する緩衝構造が適用されている。
【００２４】
上記折り曲げ光学系は、第一の光軸（以下、光軸Ｏ１とする）に沿って入射してきた被写体光束を光軸Ｏ１と直交する第二の光軸方向（以下、光軸Ｏ２とする）へ折り曲げ、光軸Ｏ２上に配置される撮像素子の受光面に光学像を結像するように構成された撮像光学系である。
【００２５】
なお、以下の説明において、デジタルカメラ１にて光軸Ｏ１方向の被写体側を前方側とする。また、光軸Ｏ２と平行な方向をＺ方向とする。光軸Ｏ２に対して直交する面に沿った方向であって、光軸Ｏ１の方向と平行な方向をＹ方向とし、Ｙ方向に直交する方向をＸ方向とする。Ｘ方向の左右は特に指定しない限り背面側からみた左右で示す。
【００２６】
本実施形態のデジタルカメラ１は、図１〜４に示すように箱形状の外装体として、互いに対向した状態で結合されるカメラ本体としての前カバー２および後カバー３と、前カバー２，後カバー３内に収容される鏡枠ユニット２０と、カメラ制御基板１８とからなる。
【００２７】
前カバー２には前面部に撮影開口窓部２ｄ、閃光発光装置の発光用窓２ｅ等が配され、上面部に電源スイッチ釦１５およびレリーズ釦１４が配されている。
【００２８】
後カバー３には背面部に撮影モード設定等の操作スイッチ釦群１３と、ＬＣＤモニタ１６が配されている。
【００２９】
カメラ制御基板１８は、カメラの全制御を司るＣＰＵ、撮影モード制御部、ストロボ発光制御部、撮像素子による撮影画像データの処理を行う画像処理部、カメラ挿入された画像記録媒体であるメモリカードに撮影画像データを書き込む記録制御部、手ブレ検出センサ等が実装されたプリント基板からなり、前カバー２の内部右側に組み込まれる。
【００３０】
鏡枠ユニット２０は、扁平な外形形状をもつ鏡枠としての鏡枠本体４と、該鏡枠本体４内に組み込まれる撮像のための折り曲げ光学系と、鏡枠本体４のＺ方向の下部に配されるブレ補正装置として、撮像素子であるＣＣＤ９６を組み込んだ撮像ユニット８８およびＣＣＤ駆動機構部７１と備えている。
【００３１】
鏡枠本体４内に組み込まれる上記折り曲げ光学系は、第一群レンズ系として光軸Ｏ１上に配される第一群レンズ（前）３５ａ、および、被写体光束を光軸Ｏ２に向けて屈折するプリズム３５ｂ、さらに、プリズム３５ｂの下部に配される第一群レンズ（後）３５ｂと、光軸Ｏ２に沿って配され、ズームレンズを構成する第二群レンズ３６および第三群レンズ３８と、第二群レンズ３６と第三群レンズ３８の間に配されるシャッタ／絞り３７と、フォーカスレンズを構成する第四群レンズ３９からなる（図６）。
【００３２】
上記各レンズ群を保持するレンズ枠部材として光軸Ｏ１上に配され、第一群レンズ３５ａ、３５ｃ、プリズム３５ｂを保持する第一群枠３１と、光軸Ｏ２上に配され、第二群レンズ３６を保持する第二群枠３２と、第三群レンズ３８を保持する第三群枠３３と、第四群レンズ３９を保持する第四群枠３４とが配されている。また、シャッタ／絞り３７は、鏡枠本体４の絞り開口部にて開閉可能な状態で支持されている（図６）。
【００３３】
ブレ補正装置を構成する撮像ユニット８８と該撮像ユニット８８を変位駆動するＣＣＤ枠駆動ユニット７１とは、図５，６に示すように鏡枠本体４の下部の上記折り曲げ光学系の下方に配される。
【００３４】
撮像ユニット８８は、Ｘスライダ８９と、Ｘスライダ８９に連結され、光学ローパスフィルタ（光学ＬＰＦ）９５ｃおよび撮像素子であるＣＣＤ９６が装着されるＣＣＤ枠９１とからなる。
【００３５】
Ｘスライダ８９は、鏡枠本体４に対してＸガイド軸によってＸ方向にスライド変位が可能に支持され、ＣＣＤ枠９１は、Ｘスライダ８９に対してＹガイド軸により連結され、Ｘ方向にはＸスライダ８９とともに移動し、かつ、Ｙ方向に相対的にスライド移動可能に支持されている。従って、ＣＣＤ枠９１は、鏡枠本体４に対してＸＹ平面上を二次元的に変位可能である。
【００３６】
ＣＣＤ９６は、ＣＣＤ接続フレキシブル基板（以下、ＣＣＤ接続ＦＰＣと記載する）６５に実装された状態でＣＣＤ枠９１の開口部に光学ローパスフィルタ（以下、光学ＬＰＦと記載する）とともに固定保持されている。
【００３７】
ＣＣＤ枠駆動部７１は、鏡枠本体４の下部右方突出部（図５では、左方側）に配され、Ｘ駆動モータ７２と、Ｙ駆動モータ７９と、ギヤ部と送リネジを含む駆動機構とを備えている。
【００３８】
カメラが手ブレ補正モードにあるとき、ＣＣＤ９６の露光を行う場合、撮像ユニット８８のＸスライダ８９およびＣＣＤ枠９１がカメラ側手ブレ検出センサによって検出された手ブレ検出信号に応じて上記手ブレを打ち消すようにＣＣＤ枠駆動部７１によってＸＹ平面上を変位駆動される。このブレ補正動作によりＣＣＤ９６により手ブレ補正された撮像信号が得られる。
【００３９】
鏡枠ユニット２０は、鏡枠本体４に上述した折り曲げ光学系が組み込まれ、前面部に後述する衝撃吸収手段である緩衝ユニット２１が装着された状態で前カバー２の収納部２ｓに組み込まれる（図４，５）。以下、鏡枠ユニット２０の前カバー２の収納部２ｓへの組み込み構造について説明する。
【００４０】
鏡枠としての鏡枠本体４は、本カメラ１のカメラ本体である前カバー２の内部において、例えば、図３に示すように前カバー（カメラ本体）内部の一方の側面に寄った所定の部位に配設されている。なお、鏡枠本体４の前カバー２の内部における配置については、本実施形態の例に限ることはなく、カメラ本体内部の略中央部分に配設するようにしてもよい。
【００４１】
前カバー２の収納部２ｓは、図７に示すように前カバー２の内面に鏡枠本体４を光軸Ｏ２に沿う方向にのみ摺動自在に収納するように形成されている。そして、収納部２ｓは、カメラ１の前面カバー２の内面に鏡枠本体４の外形形状に合わせて段差をつけて形成されており、鏡枠本体４の光軸Ｏ２を挟んで両側に支持部２ｆ，２ｇ，２ｈ，２ｉが設けられている。なお、図７の斜線で示される枠内部が、収納部２ｓに相当する。
【００４２】
収納部２ｓ内に鏡枠本体４を収納する場合、支持部２ｆ，２ｇ，２ｈ，２ｉに対して鏡枠本体４の四隅の近傍部位、即ち、図７に示す部位４ｖ１，４ｖ２，４ｖ３，４ｖ４が面接触する。
【００４３】
つまり、鏡枠本体４の四隅の部位４ｖ１，４ｖ２，４ｖ３，４ｖ４のそれぞれが収納部２ｓの支持部２ｆ，２ｇ，２ｈ，２ｉに対して面接触することによって、鏡枠本体４は、前面カバー２の収納部２ｓ内において光軸Ｏ２に沿うＺ方向にのみ摺動自在に支持されており、かつ、光軸Ｏ２に対して直交する方向であって図４に示すＸ軸方向への移動が規制されている。
【００４４】
一方、鏡枠本体４の前面に装着される衝撃吸収手段としての緩衝ユニット２１は、図４，図８に示すように、弾性を有するブチル系ゴム部材等からなり薄平板状に形成される衝撃吸収部材２４が金属若しくは樹脂等からなる二枚の薄板状部材である第一の薄板２２と第二の薄板２３に挟持され、さらに、収納部２ｓ側の第二の薄板状部材２３には弾性変形可能なスポンジ等からなるＺ方向に沿った短冊状の２つの弾性シート２５がＸ方向に離間した配置され、接着されている。
【００４５】
この緩衝ユニット２１は、鏡枠本体４が本カメラ１の前カバー２の収納部２ｓに配置された状態となったとき、鏡枠本体４の前面と、これに対向する前カバー２の内面の収納部２ｓとの間に上記弾性シート２５を介在して配置される。
【００４６】
上記配置状態において、二枚の薄板状部材のうちの一方の第一の薄板２２は、鏡枠本体４と前カバー２との間で鏡枠本体４の前面にビス（図４参照）によってネジ止めされている。
【００４７】
他方の第二の薄板２３は、前カバー２の収納部２ｓの所定の部位に弾性シート２５を挟んで固定される。第二の薄板２３には、鏡枠本体４に組み付けられた状態で、光軸Ｏ２を挟んで対向する両側縁に切欠部２３ｍ，２３ｎが形成されている。これに対して、前カバー２の収納部２ｓの内面側には、鏡枠本体４が前カバー２の収納部２ｓに収納された状態で上記切欠部２３ｍ，２３ｎに対向する部位に係止突部２ｍ，２ｎが形成されている。
【００４８】
緩衝ユニット２１が装着された鏡枠本体４を前面カバー部材２の収納部２ｓに収納した状態では、第二の薄板２３の切欠部２３ｍ，２３ｎが、収納部２ｓの係止突部２ｍ，２ｎにそれぞれに係止され、第二の薄板２３は、光軸Ｏ２に沿うＺ方向への移動が規制された状態で弾性シート２５を挟み込んで前カバー２に位置決めされる。
【００４９】
また、第一の薄板２２と第二の薄板２３の間には、略中央部分に衝撃吸収部材２４が挟持されており、この衝撃吸収部材２４は、二枚の薄板状部材２２，２３のそれぞれに対して接着剤等によって接着固定されている。
【００５０】
なお、第二の薄板２３の略中央部近傍には、図５に示すように複数の孔部２３ａが形成されている。これらの孔部は、衝撃吸収部材２４と第二の薄板２３との間を接着固定した際に、余分な接着剤等を逃がすために設けられたものである。
【００５１】
緩衝ユニット２１に適用される衝撃吸収部材２４について詳細に説明すると、緩衝ユニット２１は、衝撃を受けて本カメラ１の前カバー２と後カバー３の内部で鏡枠本体４が相対的に光軸Ｏ２に沿う方向にスライド変位したとき、前カバー２の収納部２ｓに係止された第二の薄板２３の内面と鏡枠本体４の前面との間に生じる光軸Ｏ２方向の剪断力によって衝撃吸収部材２４を剪断弾性変形させ、衝撃を吸収することができるようにしている。
【００５２】
換言すれば、衝撃吸収部材２４は、上述したように弾性を有するゴム系部材からなるので、剪断方向、即ち、鏡枠本体４の光軸Ｏ２に沿う方向、すなわち、撮影レンズが移動するＺ方向の外力（Ｚ方向の分力を含む）が加わった場合には、衝撃吸収部材２４が剪断変形することによって鏡枠本体４を前カバー２に対して相対的に同方向の光軸Ｏ２に沿うＺ方向に若干移動させ得るようになっている。
【００５３】
上述のように鏡枠本体４が光軸Ｏ２に沿うＺ方向に移動することを許容して鏡枠本体４が前カバー２と干渉するのを避けるために、鏡枠本体４の移動方向（Ｚ方向）の両端部と前カバー２の内面との間の所定の部位に図７に示した若干の隙間空間Ａ１，Ａ２が形成されるように、前カバー２の内面に対する鏡枠本体４の形状が規定されている。
【００５４】
なお、隙間空間Ａ１，Ａ２は、衝撃吸収部材２４の素材によって決まる弾性力や剪断方向の衝撃吸収力や、鏡枠ユニット２０の重量や、カメラ１自体の重量や、衝撃等による加わる外力の力量等、様々な要因によって設定される。
【００５５】
そして、隙間空間Ａ１，Ａ２は、鏡枠本体４の移動量を考慮すると充分な寸法を確保すべきものではあるが、より大きな衝撃力量を想定すると必要以上に広い隙間寸法を確保する必要が生じ、カメラ１の小型化の要求に応えることができない。したがって、設計に際しては、装置の小型化をも合わせて考慮すると、本実施形態で例示するような小型カメラにおいては、隙間空間Ａ１，Ａ２の寸法としては、例えば、それぞれ約１ｍｍ程度を確保することが妥当である。このために、衝撃吸収部材２４の大きさ、厚さ、硬度等を調整する。
【００５６】
なお、緩衝ユニット２１における衝撃吸収部材２４は、鏡枠本体４の背面側と板状押エ部材２１等との間に配置してもよいし、鏡枠本体４の前面と背面との両方に配置するようにしてもよい。第一の薄板２２に換えて鏡枠本体４の前面に凹部を設け、衝撃吸収部材２４を上記凹部にＸＺ面方向の隙間のない状態で接着固定しても同様の効果が得られる。さらには、第一の薄板２２並びに上記凹部を設けることなく、衝撃吸収部材２４を直接、鏡枠本体４の前面に接着固定する構造を採用してもよい。
【００５７】
上述した構成を有する緩衝ユニット２１が装着された鏡枠ユニット２０の鏡枠本体４を収納部２ｓに収納する場合、鏡枠本体４をその前面側に緩衝ユニット２１を装着した状態で収納部２ｓの係止突部２ｍ，２ｎに第二の薄板２３の切欠部２３ｍ，２３ｎ係合させて挿入し、鏡枠本体４の背面側に、図４に示す板状押エ部材２６，２７，２８を当て付け、前面カバー２の内面側に設けられる固定部材２ｋ，２ｐ，２ｑ，２ｒに複数のビス（図４）をネジ止め固定して収納状態とする。
【００５８】
上述した収納状態では、板状押エ部材２６，２７，２８によって鏡枠本体４の背面が押圧され、鏡枠本体４がＹ方向に押さえ込まれ、収納部２ｓによって緩衝ユニット２１の弾性シート２５が圧縮された状態となる。また、鏡枠本体４は、前カバー２に対して衝撃吸収部材２４の剪断弾性変形により相対的にＺ方向に変位可能状態で保持される。
【００５９】
板状押エ部材２６，２７，２８が前カバー２に固定されたとき、弾性シート２５が圧縮されることで生じる鏡枠押圧力Ｆ１，Ｆ２（図８）は、緩衝ユニット２１による衝撃吸収効果が得られる押圧力を上限とし、鏡枠本体４をがたつきなく押さえ、特にカメラ１が手ブレ状態になったときでも、鏡枠本体４を適正な力で保持することができる押圧力を下限とする。
【００６０】
詳しくは、鏡枠押圧力Ｆ１，Ｆ２の上限は、カメラ１に対してレンズ保持枠等に悪影響を与えるような落下等の衝撃力が作用したとき、衝撃吸収のための衝撃吸収部材２４の剪断弾性変形して鏡枠本体４のＺ方向への相対変位を許容する押圧力である。言い換えると、鏡枠押圧力Ｆ１，Ｆ２が過大すぎて衝撃吸収部材２４が押し潰されて剪断弾性変形しにくい状態になる状態、あるいは、鏡枠本体４を板状押エ部材２６，２７，２８で過大な力で押さえ込んで鏡枠本体４のＺ方向への相対変位が得られない状態になるような押圧力である。
【００６１】
また、鏡枠押圧力Ｆ１，Ｆ２の下限は、上述のように鏡枠本体４と前カバー２の間にがたつきが生じず、かつ、カメラ１が許容される最大の手ブレ状態になったときでも、鏡枠本体４がカメラ外装体である前、後カバー２，３と一体の状態で変位することができる押圧力である。
【００６２】
なお、緩衝ユニット２１に弾性シート２５を適用せず、第二の薄板２３を収納部２ｓに直接、当接させる構造では鏡枠本体４と前カバー２の寸法精度によって上述した適正な挟持押圧力Ｆ１，Ｆ２が得られず、鏡枠本体４にＹ方向のがたつきが生じたり、あるいは、挟持押圧力Ｆ１，Ｆ２が大きくなり過ぎて上記鏡枠本体４の衝撃吸収のためのＺ方向への相対変位が妨げられ、衝撃吸収部材２４による緩衝の吸収が行われないことがあり得る。
【００６３】
鏡枠押圧力Ｆ１，Ｆ２を上述した上限値以下に設定することによって、落下等の衝撃力が作用した場合、緩衝ユニット２１が十分機能し、鏡枠本体４内に収納される各レンズ保持枠等が衝撃力からより確実に保護される。
【００６４】
また、本実施形態のカメラ１には、手ブレに対応させて撮像ユニット８８のＣＣＤ枠９１をＸＹ平面で変位させるブレ補正装置が組み込まれているが、鏡枠押圧力Ｆ１，Ｆ２が上述した下限値以上に設定されていることによって、手ブレ発生時において上記手ブレ検出センサが組み込まれているカメラ外装体の前カバー２と鏡枠本体４とを一体的に変位する状態が確保される。この変位状態の確保より前述した手ブレ補正が正しく行われる。
【００６５】
上記鏡枠押圧力Ｆ１，Ｆ２の設定は、弾性シート２５の材質、圧縮量を選択して設定される。例えば、弾性シート２５の厚み方向の剛性を衝撃吸収部材２４の厚み方向の剛性よりも小さく設定することによって上記適正な保持力が容易に設定できる。
【００６６】
以上、説明したように本実施形態のデジタルカメラ１によれば、カメラ外装体としての前カバー２に対して鏡枠ユニット２０の鏡枠本体４を撮影レンズの移動方向である光軸Ｏ２に沿うＺ方向にのみ移動可能に配設し、衝撃等による外力が加わった場合には、前カバー２の収納部２ｓ内部で鏡枠本体４が一定方向に相対的に微少変位して上記衝撃力が吸収される。そして、鏡枠本体４と前カバー２とが干渉しないように、鏡枠本体４の移動方向に所定の隙間を設けて、鏡枠本体４を配置する。
【００６７】
また、衝撃吸収部材２４は、剪断方向の微少変位により衝撃力を吸収するようにしたので、より薄板形状で形成することができ、充分な衝撃吸収性を備えながらも装置の小型化に寄与することができる。
【００６８】
さらに、衝撃吸収部材２４は、移動のための空間を必要とする撮影レンズの進退方向ではなく、撮影レンズの進退方向に直交する面に沿って配設するようにしたので、装置の小型化に寄与することができる。
【００６９】
さらに、鏡枠本体４の一面と前カバー内面との間に弾性を有する薄板形状の衝撃吸収部材２４、および、薄板を介して弾性シート２５を挟持するように介在させる構成した。
【００７０】
従って、衝撃吸収部材２４は、カメラ１が衝撃力を受け、上記カメラ外装体内部で鏡枠本体４が相対的に変位したとき、鏡枠本体４の一面と上記カメラ外装体内の一面との間に生じる剪断方向の衝撃力を吸収し、カメラ本体内部の鏡枠本体４、および、鏡枠本体４内に収容される各レンズ群枠等を保護することができる。
【００７１】
また、衝撃吸収部材２４の前方に薄板を介して弾性シート２５を挟持するように配したことにより鏡枠本体４は、前カバー２や鏡枠本体４、さらに、衝撃吸収部材２４の厚みの寸法にばらばきがあったとしても板状押エ部材２６，２７，２８による鏡枠押圧力を安定した値に保持し、衝撃吸収効果を妨げることなく鏡枠本体４とカメラ外装体とを一体で変位させることができる。従って、ブレ補正機能を有するカメラにおいて、検出されたブレ検出信号により正しいブレ補正動作が可能になる。
【００７２】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００７３】
上述のように本発明のデジタルカメラは、ブレ補正機能を有する鏡枠がカメラ本体収納部内で緩衝移動するデジタルカメラにおいて、非撮像時におけるカメラ本体収納部と鏡枠との間のガタ（空間）をなくすことができ、また、外部からの衝撃の際、当該衝撃より小さな力でカメラ本体収納部内の鏡枠が動いてしまうことを防止でき、さらに、外部からの衝撃によりカメラ本体収納部内を鏡枠が移動する際のスムーズな緩衝移動や緩衝移動後の復帰を正確に行なうことのできるデジタルカメラとして利用することができる。
【符号の説明】
【００７４】
２  …前カバー（カメラ本体）
２ｆ，２ｇ，２ｈ，２ｉ
…支持部（カメラ本体の支持部）
２ｍ，２ｎ…係止突部
２ｓ…収納部（カメラ本体の収納部）
４  …鏡枠本体（鏡枠）
２１  …緩衝ユニット（衝撃吸収手段）
２２  …第一の薄板
２３  …第二の薄板
２３ｍ，２３ｎ…切欠部
２４  …衝撃吸収部材
２５  …弾性シート
Ａ１、Ａ２…鏡枠が移動する空間の寸法
Ｏ１…第一の光軸
Ｏ２…第二の光軸
【先行技術文献】
【特許文献】
【００７５】
【特許文献１】特開２００３−２５８９７１号公報
【特許文献２】特開２００５−３０６０７８号公報
【特許文献３】特開２００６−８０９８７号公報
【特許文献４】特開２００６−４０５０３号公報
【図１】
2010177965.tif 000003
【図２】
2010177965.tif 000004
【図３】
2010177965.tif 000005
【図４】
2010177965.tif 000006
【図５】
2010177965.tif 000007
【図６】
2010177965.tif 000008
【図７】
2010177965.tif 000009
【図８】
2010177965.tif 000010